(57)【特許請求の範囲】
【請求項１】
第１底壁２外周から第１周壁３を起立する容器体１内へ、第２底壁12外周から第２周壁13を起立する中皿11を、かつ該中皿内へ、第３底壁22外周から第３周壁23を起立する化粧品皿21を、それぞれ嵌合させ、かつ第２周壁13内面と第３周壁23外面との各一部に凹凸の第１、第２係合条19,24 を設けてこれ等両係合条の嵌合により化粧品皿21の抜出しを防止させた化粧用コンパクトの容器体において、
上記第１係合条19を有する第２周壁13部分とこれと対向する第１周壁部分との間に間隙を設け、
上記中皿１１の第２周壁１３に第２底壁１２と平行状の横方向上方割溝３４を形成すると共に、第２周壁１３から第２底壁１２へ張出しさせて下方割溝３５を形成し、上方割溝３４と下方割溝３５とで囲まれた中皿１１部分を、上方割溝と下方割溝との間の横方向両端部32,32 を固定端とする第１板バネ33に形成し、
又該第１板バネ先端部下方の第１底壁２部分に透孔31を穿設させて、該透孔に第１板バネ先端部を臨ませ、
該透孔を介して第１板バネ３３先端部を第３底壁２２下面に沿う方向へ押圧することにより、
第１板バネ33を上記間隙内へ弾性変形させることで、第２係合条24から第１係合条19を離脱させることが可能に形成したことを特徴とする化粧用コンパクトの容器体。
【請求項２】
第２周壁13上端に外向きフランジ14を付設して、該外向きフランジ外周部を第１周壁３の上端部へ固着させることで上記間隙を形成し、
又上記第１板バネ３３先端部に把手状部を付設し、上記透孔31および把手状部を介して第１板バネ33を間隙内へ弾性変形可能に形成したことを特徴とする、請求項１記載の化粧用コンパクトの容器体。
【請求項３】
上記第１係合条19を有する第２周壁部分の左右両側内方の第２底壁12部分を、上記第２周壁部分側を自由端に、かつ該第２周壁部分と対向する第２周壁部分側を固定端とする第２板バネ39,39 に形成し、又これ等両第２板バネの自由端を上方へ付勢させて第３底壁下面へ圧接させたことを特徴とする、請求項１又は２記載の化粧用コンパクトの容器体。
【発明の詳細な説明】
【０００１】
【発明の属する技術分野】
本発明は化粧用コンパクトの容器体に関する。
【０００２】
【従来の技術】
例えば実開平6-72511 号が示すように、容器本体へ化粧品皿を嵌合させて、容器本体の周壁内面と化粧品皿周壁外面とに設けた凹凸の係合条を嵌合させ、該嵌合により化粧品皿の上方抜出しを防止すると共に、容器本体底壁一部を開口して該開口内へレバーを装着させ、該レバー操作で上記化粧品皿を容器本体から外して化粧品皿を交換できるようにした化粧用コンパクトが知られている。
【０００３】
【発明が解決しようとする課題】
本発明は、上記のように別部材を設けることなく、凹凸いずれかの係合条を有する中皿周壁部分を板バネとし、その弾性変形により化粧品皿の係合条との嵌合を外して化粧品皿を取外し可能に形成したものである。
【０００４】
【課題を解決するための手段】
第１の手段として、第１底壁２外周から第１周壁３を起立する容器体１内へ、第２底壁12外周から第２周壁13を起立する中皿11を、かつ該中皿内へ、第３底壁22外周から第３周壁23を起立する化粧品皿21を、それぞれ嵌合させ、かつ第２周壁13内面と第３周壁23外面との各一部に凹凸の第１、第２係合条19,24 を設けてこれ等両係合条の嵌合により化粧品皿21の抜出しを防止させた化粧用コンパクトの容器体において、
上記第１係合条19を有する第２周壁13部分とこれと対向する第１周壁部分との間に間隙を設け、
上記中皿１１の第２周壁１３に第２底壁１２と平行状の横方向上方割溝３４を形成すると共に、第２周壁１３から第２底壁１２へ張出しさせて下方割溝３５を形成し、上方割溝３４と下方割溝３５とで囲まれた中皿１１部分を、上方割溝と下方割溝との間の横方向両端部32,32 を固定端とする第１板バネ33に形成し、
又該第１板バネ先端部下方の第１底壁２部分に透孔31を穿設させて、該透孔に第１板バネ先端部を臨ませ、
該透孔を介して第１板バネ３３先端部を第３底壁２２下面に沿う方向へ押圧することにより、
第１板バネ33を上記間隙内へ弾性変形させることで、第２係合条24から第１係合条19を離脱させることが可能に形成した。
【０００５】
第２の手段として、上記第１の手段を有すると共に第２周壁13上端に外向きフランジ14を付設して、該外向きフランジ外周部を第１周壁３の上端部へ固着させることで上記間隙を形成し、
又上記第１板バネ３３先端部に把手状部を付設し、上記透孔31および把手状部を介して第１板バネ33を間隙内へ弾性変形可能に形成した。
【０００６】
第３の手段として、上記第１又は第２の手段を有すると共に上記第１係合条19を有する第２周壁部分の左右両側内方の第２底壁12部分を、上記第２周壁部分側を自由端に、かつ該第２周壁部分と対向する第２周壁部分側を固定端とする第２板バネ39,39 に形成し、又これ等両第２板バネの自由端を上方へ付勢させて第３底壁下面へ圧接させた。
【０００７】
【発明の実施の形態】
以下図面について説明すると、図１から図４は第１実施形態を示す。
【０００８】
本発明容器体は、容器本体と中皿と化粧品皿とからなる。まず公知の構造について簡単に説明すると、容器本体１は第１底壁２外周から第１周壁３を起立し、その第１周壁の後壁の左右方向中間部を上下両面および後面開口の凹部４とし、かつその左右両側後壁部分の上部を蓋体枢着用の軸受け部５，５としている。図示例において容器本体は左右方向へ長い長方形の浅皿状としている。又前壁の左右方向中間部上面へは凹部を設けて該凹部内へ蓋体開蓋用押釦６を付設している。
【０００９】
11は上記容器本体内へ嵌着させた中皿で、第２底壁12外周から第２周壁13を起立し、かつ第２周壁上端に外向きフランジ14を付設し、該フランジ外周部を第１周壁３の上面内周部へ載置させると共にその外向きフランジ下面から垂下させた突条15を第１周壁の上端部内面へ係合させている。又該中皿は左右方向中間部に仕切壁16を設けてその左方を化粧品皿嵌合室17に、右方を化粧用具収納室18に、それぞれ形成している。化粧品皿嵌合室第２周壁の前後両壁の左右方向中間部内面へは、後述化粧品皿抜止め用の第１係合条19,19 を横設している。
【００１０】
21は化粧品皿で、第３底壁22外周から第３周壁23を起立し、上記化粧品皿嵌合室17内へ嵌合させ、その第３周壁の前後両壁には上記第１係合条嵌合用の第２係合条24,24 を横設している。図示例においては第１係合条を凸条とし、第２係合条を凹条としてその凹条内へ第１係合条を嵌合させている。
【００１１】
本発明にあっては、図２、図３が示すように、容器本体第１底壁２に対しては、上記化粧品嵌合室前方側の第１係合条19下方の後方寄り部分へ透孔31を穿設し、又中皿11に対しては、化粧品嵌合室前方側の第１係合条19を有する第２周壁前壁部分および該前壁部分中間部の後方第２底壁部分を、左右両端部32,32 を固定端とする第１板バネ33に形成した。34は第１板バネ上縁を形成する上方割溝であり、下方割溝35は、上記第２周壁前壁部分の左右両部下方と、これ等両部間後方の第２底壁部分へ張出しさせて設けている。図示例にあってはその張出し部の後部を、図２が示すように張出し部の前部36後端から斜下後方への傾斜部37を介して後方突出させており、その傾斜部37は弾性変形部として図３が示すように張出し部の後部を第１把手状部38とし、その押下げによって第１把手状部を下後方へ傾斜させることが可能としている。尚該状態で透孔31の前縁と張出し部後部の前端縁との間には間隙を設けている。
【００１２】
図１、図４が示すように、上記張出し部の左右両側の第２底壁部分は、第２底壁後方部分から前方へ突出する第２板バネ39,39 とし、割溝40,40 穿設によって形成させている。これ等両第２板バネ前端部上面には突条41,41 を付設している。これ等両第２板バネは、上記突条41,41 を化粧品皿21の第３底壁23下面へ弾性に抗して圧接させる。
【００１３】
図５から図７は第２実施形態を示す。該実施形態は、上記第１実施形態における張出し部の後部を欠除し、張出し部の前部36の後部を下方へ弯曲させて第２把手状部42に形成し、該第２把手状部下部を第１底壁３へ穿設した透孔31内へ垂下させている。該第２把手状部もその前面と透孔前縁との間へ間隙を設けている。その他部分は第１実施形態の場合と同一でよく、同一符号を付することで説明を省略する。
【００１４】
既述構成において、第１実施形態の場合は第１把手状部38、第２実施形態の場合は第２把手状部42を介して前方へ押圧すると、第１板バネ33が弾性に抗して弯曲することで第１係合条19が第２係合条24から外れ、よって中皿11内から化粧品皿21を上方へ抜出し出来、別の化粧品皿と交換させることが出来る。尚既述第２板バネ39,39 を付設した場合は上記第１、第２係合条19,24 が外れたとき、化粧品皿21前部が第２板バネ39,39 により押上げられ、よって化粧品皿21の抜出しが容易となる。
【００１５】
【発明の効果】
本発明は既述構成とするもので、請求項１記載のようにすることで、第１係合条19を有する第２周壁の第１板バネ33を、その両端部を固定端として外方へ弾性変形させ、化粧品皿の第３周壁が有する第２係合条24から第１係合条19を外すことが出来るから、化粧品皿の取外しが容易であり、季節等に応じて色を変えた化粧品入りの化粧品皿に交換することが便利である。又第１板バネ33の弾性変形はその両端部を固定端として水平方向へ弾性変形させるから、第１、第２係合条19,24 の離脱および嵌合を確実に行わせることが出来る。
【００１６】
請求項２のようにすることで、第１板バネ33を弾性変形させるための第１、第２把手状部の形成が容易である。
【００１７】
請求項３のようにすることで、化粧品皿21の取外しが更に容易となる。
【図面の簡単な説明】
【図１】  化粧品皿取外し状態で示す、コンパクト容器体の平面図である。
【図２】  図１Ａ−Ａ線を矢示方向へ見た拡大断面図である。
【図３】  図２の状態から、把手状部を押下げた状態で示す断面図である。
【図４】  中皿の要部を示す斜視図である。
【図５】  第２実施形態のコンパクト容器体から、化粧品皿を取外して示す平面図である。
【図６】  図５Ａ−Ａ線を矢示方向へ示す、拡大断面図である。
【図７】  図５Ｂ−Ｂ線を矢示方向へ見た拡大断面図である。
【符号の説明】
１…容器本体                  11…中皿
21…化粧品皿                  31…透孔
33…第１板バネ                38…第１把手状部
39…第２板バネ                42…第２把手状部
【図１】
0004052438.tif 000002
【図２】
0004052438.tif 000003
【図３】
0004052438.tif 000004
【図４】
0004052438.tif 000005
【図５】
0004052438.tif 000006
【図６】
0004052438.tif 000007
【図７】
0004052438.tif 000008